【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】装置外部に設けられた給水タンクに貯留されている水を使用し、洗浄ノズルから吐出させて局部を洗浄し、使用後は汚水タンクに排水する衛生洗浄装置の制御方法であって、前記給水タンクの貯水量が一定値以下になった場合、前記洗浄ノズルからの吐水水量を減少させることを特徴とする衛生洗浄装置の制御方法。
【請求項２】装置外部に設けられた給水タンクに貯留されている水を使用し、洗浄ノズルから吐出させて局部を洗浄し、使用後は汚水タンクに排水する衛生洗浄装置の制御方法であって、前記給水タンクの貯水量が一定値以下になった場合、前記洗浄ノズルからの吐水を停止することを特徴とする衛生洗浄装置の制御方法。
【請求項３】装置外部に設けられた給水タンクに貯留されている水を使用し、洗浄ノズルから吐出させて局部を洗浄し、使用後は汚水タンクに排水する衛生洗浄装置の制御方法であって、前記汚水タンクの貯水量が一定値以上になった場合、前記洗浄ノズルからの吐水水量を減少させることを特徴とする衛生洗浄装置の制御方法。
【請求項４】装置外部に設けられた給水タンクに貯留されている水を使用し、洗浄ノズルから吐出させて局部を洗浄し、使用後は汚水タンクに排水する衛生洗浄装置の制御方法であって、前記汚水タンクの貯水量が一定値以上になった場合、前記洗浄ノズルからの吐水を停止することを特徴とする衛生洗浄装置の制御方法。
【請求項５】請求項１又は３に記載の衛生洗浄装置の制御方法において、前記洗浄ノズルから噴出する一回の水の量を決めて、使用する水の量を減少することを特徴とする衛生洗浄装置の制御方法。
【請求項６】請求項１又は３に記載の衛生洗浄装置の制御方法において、前記洗浄ノズルから噴出する一回の水の使用時間を決めて、使用する水の量を減少することを特徴とする衛生洗浄装置の制御方法。
【請求項７】請求項１又は２に記載の衛生洗浄装置の制御方法において、前記洗浄ノズルから噴出する一回の水の量を決めた水勢ステップと吐水時間とに基づいて吐出水量を換算し、該吐出水量より前記給水タンクの貯水量が一定以下になったか否かを判定することを特徴とする衛生洗浄装置の制御方法。
【請求項８】請求項３又は４に記載の衛生洗浄装置の制御方法において、前記洗浄ノズルから噴出する一回の水の量を決めた水勢ステップと吐水時間とに基づいて吐出水量を換算し、該吐出水量より前記汚水タンクの貯水量が一定以上になったか否かを判定することを特徴とする衛生洗浄装置の制御方法。
【手続補正２】
【補正対象書類名】明細書
【補正対象項目名】０００５
【補正方法】変更
【補正の内容】
【０００５】
【課題を解決するための手段】
【手続補正３】
【補正対象書類名】明細書
【補正対象項目名】０００６
【補正方法】変更
【補正の内容】
【０００６】
第１の発明に係る衛生洗浄装置の制御方法は、装置外部に設けられた給水タンクに貯留されている水を使用し、洗浄ノズルから吐出させて局部を洗浄し、使用後は汚水タンクに排水する衛生洗浄装置の制御方法であって、前記給水タンクの貯水量が一定値以下になった場合、前記洗浄ノズルからの吐水を通常使用量より減少させている。これによって装置外部に設けられた給水タンクの水を制限して、衛生洗浄装置を使用できる。第２の発明に係る衛生洗浄装置の制御方法は、装置外部に設けられた給水タンクに貯留されている水を使用し、洗浄ノズルから吐出させて局部を洗浄し、使用後は汚水タンクに排水する衛生洗浄装置の制御方法であって、前記給水タンクの貯水量が一定値以下になった場合、前記洗浄ノズルからの吐水を停止している。以上の第１、第２の発明によって、装置外部に設けられた給水タンクの水の量を制限して使用できる。
【手続補正４】
【補正対象書類名】明細書
【補正対象項目名】０００７
【補正方法】変更
【補正の内容】
【０００７】
また、第３の発明に係る衛生洗浄装置の制御方法は、装置外部に設けられた給水タンクに貯留されている水を使用し、洗浄ノズルから吐出させて局部を洗浄し、使用後は汚水タンクに排水する衛生洗浄装置の制御方法であって、前記汚水タンクの貯水量が一定値以上になった場合、前記洗浄ノズルからの吐水を通常使用量より減少させている。第４の発明に係る衛生洗浄装置の制御方法は、装置外部に設けられた給水タンクに貯留されている水を使用し、洗浄ノズルから吐出させて局部を洗浄し、使用後は汚水タンクに排水する衛生洗浄装置の制御方法であって、前記汚水タンクの貯水量が一定値以上になった場合、前記洗浄ノズルからの吐水を停止するようにしている。第３、第４の発明によって、汚水タンクに大量の水が流れ込むのを防止できる。なお、第１〜第４の発明において、洗浄ノズルからの水を制限したりあるいは停止したりする場合には、使用者の見える位置にその旨の警告を自動的に報知するようにしておくのが好ましい。第１、第３の発明において、前記洗浄ノズルから噴出する一回の水の量を決めて、使用する水の量を減少することもできるし、場合によって、第１、第３の発明において、前記洗浄ノズルの給水のオン時間を通常より短くすることによって、前記洗浄ノズルに供給される１回分の水量を制限することもできる。第１、第２の発明において、洗浄ノズルから噴出する一回の水の量を決めた水勢ステップと吐水時間とに基づいて吐出水量を換算し、吐出水量より装置外部に設けられた給水タンクの貯水量が一定以下になったか否かを判定するようにしてもよい。これにより、装置外部に設けられた給水タンクの水の量を制限して使用できる。また、第３、第４の発明において、洗浄ノズルから噴出する一回の水の量を決めた水勢ステップと吐水時間とに基づいて吐出水量を換算し、吐出水量より汚水タンクの貯水量が一定以上になったか否かを判定するようにしてもよい。これにより、汚水タンクに大量の水が流れ込むのを防止できる。
【手続補正５】
【補正対象書類名】明細書
【補正対象項目名】００２４
【補正方法】変更
【補正の内容】
【００２４】
【発明の効果】請求項１〜８記載の衛生洗浄装置の制御方法は、それぞれ装置外部に設けられた給水タンク及び／又は汚水タンクを使用する衛生洗浄装置において、衛生洗浄装置の一回分の使用する水の量は制限されているので、節水を行うことができ、これによって、水の有効使用が図れる。衛生洗浄装置で使用する水は一般に電気ヒータによって加熱されるので、これに付随する電力の節約も図れる。特に、請求項１記載の衛生洗浄装置の制御方法においては装置外部に設けられた給水タンクの水の貯水量が一定値以下になった場合、請求項３記載の衛生洗浄装置の制御方法においては汚水タンクの貯水量が一定値以上になった場合には、衛生洗浄装置の水の量を減少させるようにしているので、通常の場合には比較的多い水で衛生洗浄装置を使用することができ、非常時でも少ない水で衛生洗浄装置の使用ができるので、より効率的に衛生洗浄装置を使用できる。
【手続補正６】
【補正対象書類名】明細書
【補正対象項目名】００２５
【補正方法】変更
【補正の内容】
【００２５】
請求項２記載の衛生洗浄装置の制御方法においては、装置外部に設けられた給水タンクの水の貯水量が一定値以下になった場合、請求項４記載の衛生洗浄装置の制御方法においては汚水タンクの貯水量が一定値以上になった場合には、衛生洗浄装置を停止するようにしているので、節水を確実に行って、生活水の使用を確保できる。請求項５記載の衛生洗浄装置の制御方法においては、例えば、流量計を用いて衛生洗浄装置の使用水を制限しているので、動作が確実であり、誰にでも同一量の節水を行うことができる。請求項６記載の衛生洗浄装置の制御方法においては、衛生洗浄装置の使用時間を目安にして節水を行っているので、全体の制御が簡単である。請求項７記載の衛生洗浄装置の制御方法においては、洗浄ノズルから噴出する一回の水の量を決めた水勢ステップと吐水時間とに基づいて吐出水量を換算し、吐出水量より装置外部に設けられた給水タンクの貯水量が一定以下になったか否かを判定するようにしているので、給水タンクの水の量を制限して使用でき、節水を行うことができる。請求項８記載の衛生洗浄装置の制御方法においては、洗浄ノズルから噴出する一回の水の量を決めた水勢ステップと吐水時間とに基づいて吐出水量を換算し、吐出水量より汚水タンクの貯水量が一定以上になったか否かを判定するようにしているので、汚水タンクに大量の水が流れ込むのを防止し、節水を行うことができる。